(57)【要約】【課題】  風船を密閉して発光させる器具及びその方法を提供すること。【解決手段】  風船を密閉して照光する器具であって、風船のネックへの挿入を密閉するハウジングと、該ハウジングのインレットからアウトレットへ膨張ガスを導く該ハウジング内のフローパスと、該フローパスに配置されて該膨張ガスを該インレットから該アウトレットに流れさせるフロー制御システムと、該ハウジングとともに取り付けられた光源と、該ハウジング内に配置され該光源のための電力を供給する電源と、該ハウジングとともに取り付けられて、該電源と該光源の間の回路を完成することにより該光源に選択的に該電源を接続するように操作可能なスイッチと、該スイッチを操作するために該ハウジングの周囲に環状に配置されたスイッチ起動部材と、を備えた器具の提供。【選択図】  図６
2008501423.tif 000002
【特許請求の範囲】
【請求項１】
風船を密閉して照光する器具であって、
風船のネックへの挿入を密閉するハウジングと、
該ハウジングのインレットからアウトレットへ膨張ガスを導く該ハウジング内のフローパスと、
該フローパスに配置されて該膨張ガスを該インレットから該アウトレットに流れさせるフロー制御システムと、
該ハウジングとともに取り付けられた光源と、
該ハウジング内に配置され該光源のための電力を供給する電源と、
該ハウジングとともに取り付けられて、該電源と該光源の間の回路を完成することにより該光源に選択的に該電源を接続するように操作可能なスイッチと、
該スイッチを操作するために該ハウジングの周囲に環状に配置されたスイッチ起動部材と、を備えたことを特徴とする器具。
【請求項２】
該スイッチ起動部材は、該風船の該ネックの一部を備えることを特徴とする請求項１記載の器具。
【請求項３】
該スイッチ起動部材は、ｏ−リングを備えることを特徴とする請求項１記載の器具。
【請求項４】
ハウジングの外側表面に形成され該スイッチ起動部材を受ける第１環状凹部を更に備えることを特徴とする請求項１記載の器具。
【請求項５】
該スイッチの少なくとも一部は、該第１環状凹部に配置された該スイッチ起動部材によって操作可能となるように該第１環状凹部へ放射状に外へ突き出ていることを特徴とする請求項４記載の器具。
【請求項６】
ハウジングの外側表面に形成された、スイッチ起動部材及び該風船のへり小玉の少なくとも１つを受けるための第２環状凹部を更に備えることを特徴とする請求項４記載の器具。
【請求項７】
風船を更に備えることを特徴とする請求項１記載の器具。
【請求項８】
該ハウジングとともに取り付けられ且つ該回路に設けられた、該ハウジングの動作に応答して該電源を該光源に選択的に接続する動作感知スイッチを更に備えることを特徴とする請求項１記載の器具。
【請求項９】
該ハウジングとともに取り付けられ且つ該回路に設けられた、受信信号に応答して該電源を該光源に選択的に接続するワイヤレス受信機を更に備えることを特徴とする請求項１記載の器具。
【請求項１０】
該ワイヤレス受信機は、ラジオ波受信機を備えることを特徴とする請求項９記載の器具。
【請求項１１】
該ワイヤレス受信機は、赤外波受信機を備えることを特徴とする請求項９記載の器具。
【請求項１２】
該光源は、該ハウジングの該インレットに隣接して配置されて該ハウジング上に取り付けられる風船の外部の少なくとも一部を照光することを特徴とする請求項１記載の器具。
【請求項１３】
該スイッチは、集積された電気回路を備えることを特徴とする請求項１記載の器具。
【請求項１４】
風船を密閉して照光する器具であって、
風船のネックへの挿入を密閉するハウジングと、
該ハウジングのインレットからアウトレットへ膨張ガスを導く該ハウジング内のフローパスと、
該膨張ガスを該インレットから該アウトレットに流れさせる該フローパスに配置されたフロー制御システムと、
該ハウジングとともに取り付けられた光源と、
該ハウジング内に配置され該光源のための電力を供給する電源と、
該ハウジングとともに取り付けられて、該電源と該光源の間の回路を完成することにより該光源に選択的に該電源を接続するように該風船の一部によって操作可能なスイッチと、を備え、
該ハウジングが該風船内に十分に挿入された場合に、該一部が該スイッチと接触するようにしたことを特徴とする器具。
【請求項１５】
該一部は、該風船の該ネックの一部を備えることを特徴とする請求項１４記載の器具。
【請求項１６】
該一部は、該風船の該ネックのへり小玉の一部を備えることを特徴とする請求項１４記載の器具。
【請求項１７】
ハウジングの外側表面に形成されて該風船のへり小玉を受ける環状凹部を更に備えることを特徴とする請求項１６記載の器具。
【請求項１８】
該スイッチの少なくとも一部は、該凹部に配置されたへり小玉によって操作可能となるように該凹部へ放射状に外へ突き出ていることを特徴とする請求項１７記載の器具。
【請求項１９】
風船を更に備えることを特徴とする請求項１４の器具。
【請求項２０】
該ハウジングとともに取り付けられ且つ該回路に設けられた、該ハウジングの動作に応答して該電源を該光源に選択的に接続する動作感知スイッチを更に備えることを特徴とする請求項１４記載の器具。
【請求項２１】
該ハウジングとともに取り付けられ且つ該回路に設けられた、受信信号に応答して該電源を該光源に選択的に接続するワイヤレス受信機を更に備えることを特徴とする請求項１４記載の器具。
【請求項２２】
該スイッチは、集積された電気回路を備えることを特徴とする請求項１４記載の器具。
【請求項２３】
風船を密閉して照光する器具であって、
風船のネックへの挿入を密閉するハウジングと、
該ハウジングのインレットからアウトレットへ膨張ガスを導く該ハウジング内のフローパスと、
該フローパスに配置されて該膨張ガスを該インレットから該アウトレットに流れさせるフロー制御システムと、
該ハウジングとともに取り付けられた光源と、
該ハウジング内に配置され該光源のための電力を供給する電源と、
該ハウジングとともに取り付けられて、該電源と該光源の間の回路を完成することにより該光源に選択的に該電源を接続するように操作可能なスイッチと、
該スイッチを操作するために該ハウジングの周囲に環状に配置されたスイッチ起動部材と、を備え、
該フロー制御システムは、メンブレンを備え、
該メンブレンは、該インレットを密閉するように該風船内の該膨張ガスの第１圧力に応答し、該メンブレンを該インレットを密閉することから遠ざけるように該第１圧力より大きな該インレットに導入される該膨張ガスの第２圧力に応答することにより該膨張ガスが該インレットに導入されることを特徴とする器具。
【請求項２４】
該メンブレンは、該メンブレンの密閉能力を改善するためのシール材を備えることを特徴とする請求項２３記載の器具。
【請求項２５】
該メンブレンを収容し、該メンブレンがフロー制御能力を損なうように不適切に配置されられるようになることを防ぐように該メンブレンの運動を制限するように構成されたチャンバを更に備えることを特徴とする請求項２３記載の器具。
【請求項２６】
該メンブレンは、複数のフラップを有する峰形の形状を備え、
該複数のフラップは、移動されていない状態において先端で接触してメンブレン開口を該先端で密閉し、
該フラップは、該膨張ガスがメンブレン開口を通って流れるのを可能にするために、該第２圧力に応じて該メンブレン開口を形成すべく互いとの接触から遠ざかるように移動可能であることを特徴とする請求項２３記載の器具。
【請求項２７】
該メンブレンは、移動されていない状態において該ハウジングに対して密閉するリム部を備える傘型の形状を備え、
該リム部は、該膨張ガスを該メンブレンの周囲に流れさせるために、該第２圧力に応じて移動された状態において該ハウジングとの接触から遠ざかるように移動可能であることを特徴とする請求項２３記載の器具。
【請求項２８】
該ハウジングは、紫外線（ＵＶ）光に応じて蛍光を発する蛍光材料を備えることを特徴とする請求項２３記載の器具。
【請求項２９】
該光源は、ＵＶ光生成装置を備えることを特徴とする請求項２８記載の器具。
【請求項３０】
紫外線（ＵＶ）光に応じて蛍光を発する蛍光材料を備えるハウジング上に取り付けられた風船を更に備えることを特徴とする請求項２８記載の器具。
【請求項３１】
該回路内に、該光源の動作モードを設定するモードスイッチを更に備えることを特徴とする請求項２３記載の器具。
【請求項３２】
該モードスイッチと接触する第１エンド及び該ハウジングから外側に伸びる第２エンドを備えるモード起動部材を更に備え、  
ユーザが第２エンドで該モード起動部材を動かすことにより該ハウジングの外から該スイッチを起動できるようにしたことを特徴とする請求項３１記載の器具。
【発明の詳細な説明】
【技術分野】
【０００１】
本願は２００４年６月５日になされた米国仮出願続き番号第６０／５７７，３２９号に対する優先権を主張するものであり、参照によってここに盛り込まれる。
本発明は、風船を照光する補助ライトの分野に関する。
【背景技術】
【０００２】
従来、風船を内部から照らすために光を用いることが提案されてきた。内部が照らされた風船は魅力的であるので、大人や子どもから欲しがられる。照光された風船は、フェアやサーカス更には夜のイベントの際に屋外に設けられるアレンジメントにおいて、ノベルティ品として用いられてきた。
【発明の開示】
【発明が解決しようとする課題】
【０００３】
本発明は、風船を密閉して発光させる器具及びその方法を提供することを目的とする。
【課題を解決するための手段】
【０００４】
本発明は、ラテックス風船を密閉し、膨らまし且つ発光させる器具とその方法を有利に提供する。本発明のライトは、風船のネックに該ライトを接続するハウジングと、該ハウジング内に配置された電源と、該ハウジング内に配置されて該電源に接続された光源と、該ハウジング内に配置され、該ハウジングと該風船の間の気密シールに応答して該光源にエネルギーを供給するように該電源と該光源に接続されたスイッチと、該風船へガスを流れさせるが該風船から出させないフロー制御システムと、を備える。
【０００５】
該ハウジングは、該風船ライトのその他の部品を保護する囲いを提供し、好ましくは、該風船の該ネックで該風船に該風船ライトを接続する役目をもする。
【０００６】
該ハウジングは、輝点を削減して風船に均等照明を提供するように、該光源によって発せられた光が通り抜けて輝くのを可能にする材料及び光学形状を備える。
【０００７】
該スイッチは、該ハウジングが該風船と該風船ライトの該ハウジングとの間に気密シールを生成する該風船の該ネックに挿入されたときに、起動される。該光源は該スイッチが起動されるとエネルギー供給され、これによって該風船を発光させる。
【０００８】
該風船ライトは、該光源が該風船の該ネックへの該器具の挿入によりエネルギーが与えられたときに、視覚的に知覚可能な光像を形成する形状を備えていても良い。
【発明を実施するための最良の形態】
【０００９】
本発明は、ラテックス風船を密閉し、膨らまし且つ発光させる器具とその方法を有利に提供する。該器具は、風船のネックに挿入されたとき、該器具のハウジングと風船の間に気密シールを生成する。風船ライトは風船とハウジングの間の該気密シールに応答して作動するので、器具が風船内にない場合明かりは点いていない。風船の外部に露出された該器具のエンドは、ガスが風船の中へ入り込むのは許容するがガスが風船から出て行くのを防ぐ一方向弁を含んでいる。器具のハウジング内の空気経路は、ガスがフロー制御システムを通り抜けて風船内へ流れることを可能とする。さらに、風船内の器具のエンドは、その内部から風船を照光するライトを含んでいる。ハウジング材料および光学形状は、風船内の集中輝点ないし過熱点を防ぐ光屈折を助け、風船に均等な照明を提供する。電源を備えた器具の全重量は、風船内にヘリウムが含まれている期間全体を通じて、ヘリウムで満たされたラテックス風船によって浮き上がらせられるのに十分軽い。本発明は、器具が風船のネックへ挿入されて器具のハウジングと風船の間の気密シールを生成している場合に、風船が空気抜きされることを可能にする。したがって、器具を除去することなく必要な場合に風船を繰り返し膨らませることができる。
【００１０】
本発明を、発明の好ましい実施形態が示されている添付図面を参照しつつ、以下においてより十全に記載することとする。本発明は、しかしながら、様々な形式で実施され得るものであり、ここに述べられる描写された実施形態に限定されるようには解釈されるべきでない。むしろ、これらの描写された実施形態は、本開示が充分且つ完全となって当業者に対し発明の範囲を十全に伝えるために提供されるものである。同様の番号は全体を通じて同様のエレメントを指示し、プライム表記法が用いられたときは別の実施形態における類似エレメントを指示する。
【００１１】
図１から図５は、本発明、すなわち自給式、自己密閉式の、風船３０のための風船ライト１０を図示する。風船３０は、様々なサイズの風船で一般に利用されている円柱状又は先細ネック３１を有する、ラテックス玩具風船のようなものである。風船ライト１０は、たとえば上部ハウジング１１及び下部ハウジング１２を備えるハウジング９と、電源２３と、光源２１と、その他の電気部品とともに回路に接続されるカンチレバースイッチ接触２２を備えるスイッチ２０と、を備える。ハウジング９は、その実施形態が図１乃至図３に示されており、光源２１及び電源２３を含め電気部品を包む役目をする。図５に示されるように、ハウジング９は風船３０のネック３１に風船ライト１０を結合する役目をする。電源２３は、たとえば、１つ以上のバッテリーを備え、図１及び図４に示されるように、ハウジング９内に配置されて電気回路に接続されている。光源２１は、これは発光ダイオードのような任意の適当なライトであって良いことを当業者は知っているであろうが、上部ハウジング１１内に配置されており、該電気回路を介して電源２３に接続されている。スイッチ２０は、該電気回路を介して光源２１に接続されているが、該ハウジングが風船３０のネック３１へ挿入されるまで電源２３に接続されない。ハウジング９に対して風船ネック３１を密閉する所為は、スイッチ２０のカンチレバー接触スイッチ２２を回路を閉じるように電源２３に押しつけ、スイッチ２０を初期化して光源２１にエネルギーを与える。当業者は、光源２１への電力潮流の制御に関係する機能を提供する既知の集積回路をスイッチ２０が含んでも良いということを理解するであろう。
【００１２】
当業者は、風船３０が、特に一般に使用されたラテックス風船において、少なくとも２倍緩んだサイズまで伸びる円柱状の又は僅かに先細のネック３１を有することを知るであろう。また、風船３０は、たとえば、１２インチ直径、１４インチ直径、１６インチ直径などの様々なサイズで利用可能である。風船ライト１０のハウジング１１、１２は、異なるサイズの風船３０に適応するために異なる直径を有することができる。本発明は、任意のかかるタイプの風船ネック３１に接合するように意図されている。
【００１３】
図１乃至図４に最も良く示されるように、風船ライト１０のハウジング９は、発せられた光がハウジング９つを通って光ることを可能にするように半透明又は透明の材料を含むことができる。たとえば、上部ハウジング１１は、フレネルレンズ等のように、光源２１から発せられた光を風船３０の内部へ導き又は分散する構成に形作られた半透明又は透明の材料から形成されうる。別の実施形態において、上部ハウジング１１は、光源２１からの光が通り抜けることを可能にするためにアパチャー（不図示）を含んでいても良い。また、下部ケース１２’は、好ましくは超音波シールされたプラスチック材料から組立てられ、これによってフロー制御システム２５のための囲いが備えられる。
【００１４】
フロー制御システム２５は次の３つの部分を含むことができる。すなわち、下部ハウジング１２、１２’、蓋カバー１６及び空気路開口３６を覆うメンブレン１７である。メンブレン１７は、人間の呼吸の圧力によって変形することができる弾性材から形成することができる。ある実施形態において、メンブレン１７はシリコンから形成することができ、メンブレン１７の密閉性能を高めるためにペトロラタムのようなシール材で下部ハウジング１２と接触するたとえばメンブレン１７の一部５６上でコートしても良い。メンブレン１７は、膨張ガス３８によってかけられた圧力によって下部ハウジング１２との接触から離れることができ、膨張ガス３８が開口３６を通って入ることを可能にする。下部ハウジング１２、１２’を備えた蓋カバー１６の構成は、メンブレン１７が再配置可能なように、蓋カバー１６とハウジング１２、１２’との間でメンブレン１７の動きを制限する。たとえば、部分５６では、メンブレン１７が、封印されていない位置に留められてしまうといったように、フロー制御能力を損なうように不適切に配置されるようになるのを防ぐ一方で、膨張ガス３８が入ることを可能にする。発明の一側面において、下部ハウジング１２と蓋カバー１６の間に形成されたチャンバ５８は、メンブレン１７の水平及び垂直の移動をチャンバ５８内で制限するように構成することができる。水平になろうとするメンブレン１７の弾性特性は、シール材とともに、多少又はゼロの内圧であってもハウジング１２、１２’の内側表面に対するシールを生成する。しかしながら、風船３０を少しでも膨らませた後の利用可能な内圧によって、該圧力は、メンブレン１７に対してハウジング１２、１２’の内側表面への追加的な押しつけを提供し、開口３６に対する気密なシールを生成する。したがって、メンブレン１７は、開口３６を覆って密閉するために風船３０内の膨張ガス３８の（矢印５２によって表わされた）第１圧力に応答し、開口３６を覆うことからメンブレン１７を移動するために開口３６に吹き込まれる膨張ガス３８の第１圧力より大きな（矢印５４によって表わされた）第２圧力に応答し、これによって膨張ガス３８が入るのを許容する。
【００１５】
図９に表された発明の一側面において、フロー制御システム２５は、フラップ６２を有する峰部材６０を含んでいても良い。このフラップ６２は、オリジナルの、すなわち移動されていない状態において部材６０の開口６４を密閉する。フラップ６２は、膨張ガス３８が通り抜けて流れることを可能にするために、膨張ガス３８からの圧力に応じて開口６４から遠ざかって（点線６６によって指示された）移動状態に移動することができる。峰部材６０の密閉性能を高めるために、フラップ６２は開口６４でペトロラタムのようなシール材で覆われても良い。
【００１６】
図１０に表された発明の一側面において、フロー制御システム２５は、着席した、すなわち移動されていない状態において下部ハウジング１２に対してシールするリム部７０を有する傘型部材６８を含んでいても良い。リム部７０は、膨張ガス３８が傘型部材６８を流れ過ぎることを可能にするために、膨張ガス３８からの圧力に応じて、下部ハウジング１２との接触から遠ざかって（点線７２によって指示された）移動状態に移動することができる。リム部７０は、傘型部材６８の密閉性能を高めるために、それらが下部ハウジング１２と接触する箇所でペトロラタムのようなシール材で覆われても良い。
【００１７】
図１、図３及び図４に示されるように、下部ハウジング１２は、リボンループ１４上に見られるスレッドに対して補完的なスレッド１８を有していても良い。リボンループ１４上にねじ込むことによって、風船ライト１０を備えたヘリウムで満たされた風船３０は、風船３０の維持に使用される長いリボン３２を結ぶのに便利な場所を有する。選択的に、風船３０及びハウジング９は、接着テープ、又は当業者に知られているようなその他の接合法によってリボン３２にしっかりと繋がれていても良い。図１乃至図５に図示されるように、ハウジング９は、風船ライトが風船ネック３１へ一旦挿入されると風船３０へガスを流すために、ハウジング９内に開口３６のようなインレットからの膨張ガス３８をハウジング９のアウトレット４０へ導く少なくとも１つのフローパス１９を含んでいる。フローパス１９は、蓋カバー１６を通るアパチャー１３を含んでいても良い。
【００１８】
本発明の一側面は、光源２１がエネルギーを与えられた場合に視覚的に知覚可能な画像を形成する能力を含んでいる。たとえば、光の像を強調するために、風船ライト１０は１つ以上の色で光を発するように構成されていても良い。風船３０の内部の色で視覚的に知覚可能な像を生成するために、光源２１それ自体が着色光を発しても良く、あるいは、ハウジング１１、１２が１つ以上のカラーを有する材料を備えても良い。該発明のこの側面の特に有用で審美的な適用は、風船３０が内部から後方照射されたときに目に知覚可能に映るエンブレム画像を形成することを含む。その像は、風船３０が照光されたときに表示される広告を有利に形成しても良い。そのような広告は、企業のロゴを含んでいても良い。
【００１９】
本発明の別の実施形態が図４に示される。この実施形態において、スイッチ２０’は、集積回路２７と、電源２３及びスイッチ２０’に接続された接触スイッチ２２’とを備える。接触スイッチ２２’は、光源２１と電源２３の間の回路を完成させる。スイッチ２０’内の集積回路は、以下のものを含むことができるがこれらに限られるものでない。すなわち、手動選択ボタン、運動センサ、赤外線受信機、及び又はＲＦ受信機を含むことができる。当業者は、これらの部品の追加により、該ボタンの手動による押し下げ、突然の運動、赤外線送信、及び又はワイヤレス送信を通じて風船ライト１０の制御を可能にするであろうということを理解するであろう。たとえば、スイッチ２０’は、発光光で視覚効果を生成するために、風船３０の突然の運動に応答して光源２１にエネルギーを断続的に与えても良い。また、光源２１に断続的にエネルギー供給することは、照明効果をさらに生成するために所定の時間間隔で達成されても良い。たとえば、異なる所定の作動開始間隔を有している風船ライト１０は、多くの風船３０に接合することができ、これによって各風船３０は他の風船３０とは異なった時間で断続的に光を放つことができる。
【００２０】
図６は非発光モードで構成された本発明の典型的な実施形態の断面図であり、図７は発光モードで構成された本発明の典型的な実施形態の断面図である。図６と図７に示された典型的な実施形態は、風船３０のネック４２への挿入を密閉するハウジング９を含む。ハウジング９は、開口３６のようなインレットからの膨張ガス３８をハウジング９のアウトレット４０へ導くために、ハウジング９内にフローパス１９を含んでいる。フロー制御システム２５は、ネック４２が密閉してハウジング９の周囲に配置されている風船３０を膨らませるために、膨張ガス３８が開口３６からアウトレット４０に流れ込むことを可能にするフローパス１９に配置することができる。該発明の一側面において、密閉は、風船３０のへり小玉４４が図６および７に示されているようにアウトレット４０を通り過ぎて配置されるべく、ハウジング９がネック４２にぐっと深く挿入されることを保証することにより達成されても良い。
【００２１】
光源２１はハウジング９とともに取り付けられても良く、また１つ以上の電池などの電源２３が光源２１へ電力を供給するためにハウジング９内に配置されていても良い。スイッチ２０はハウジング９とともに取り付けることができ、電源２３と光源２１の間の回路の完成により、光源２１に選択的に電源２３を接続するように操作可能とすることができる。ｏ−リングのようなスイッチ起動部材４６を、スイッチ２０を選択的に操作するためにハウジング９の周囲に環状に配置することができる。たとえば、カンチレバースイッチ接触２２のようなスイッチ２０の一部は、ハウジング９から放射状に外へ突き出るように構成され、スイッチ起動部材４６が該突起部上のハウジング９の周囲に配置されている場合に、スイッチ２０が光源２１に電源２３を接続するように回路を閉じて操作されるようになっている。
【００２２】
該発明の一側面において、ハウジング９は、スイッチ起動部材４６を受けるためにハウジング９の外側表面に形成されたスイッチ起動部材環状凹部４８を含んでいる。カンチレバースイッチ接触２２のようなスイッチ２０の一部は、スイッチ起動部材４６が図７に示されるように凹部４８に配置されている場合に、該スイッチの該突起部が動かされて、スイッチ２０はが光源２１に電源２３を接続するように回路を閉じて操作されるように、凹部４８へ放射状に突き出ている。凹部４８は、スイッチ２０を起動するために、スイッチ起動部材４６を適切な位置に維持しておくのを助ける。スイッチ起動部材４６は、スイッチ２０を起動するために該部材が凹部４８に十分にしっかりと収まり、また光源２１から電源２３を遮断する位置へスイッチ２２が戻ることを可能にするために部材４６が凹部４８からそれを取り除くようにストレッチすることを可能にするように、弾性材から形成されていても良い。
【００２３】
ハウジング９は、スイッチ起動部材４６及び該風船のへり小玉４４の少なくとも１つを受けるために、ハウジング９の外側表面に形成された第２環状凹部５０を更に含んでいても良い。たとえば、第２環状凹部５０は、スイッチ起動部材４６を、それがスイッチ２０を起動するために使用されていない場合に維持するための配設位置をたとえば提供するために、アウトレット４０から離れた側面上にスイッチ起動凹部４８から一定間隔離されて配置されても良い。この位置において、図６に示されるように、スイッチ起動部材４６は、第２の環状凹部５０に配置された風船ネック４２の一部のハウジング９に対する追加密閉を提供する。スイッチ起動部材４６は、スイッチ２０を選択的に起動及び遮断するために、スイッチ起動部材環状凹部４８から第２凹部５０へ移動することができる。該発明の別の側面において、選択的にスイッチ２０を起動又は遮断するために、スイッチ起動部材４６が開口４０の方向にスイッチ起動部材環状凹部４８の内外へ移動される一方で、図７に示されるように、第２環状凹部５０は風船３０のへり小玉４４を保持するために用いられても良い。
【００２４】
図８は本発明の別の典型的な実施形態の断面図であり、この実施形態ではハウジング９に設けられた風船３０の外側部分を照光するために光源２１がハウジング９の開口３６に隣接して配置されるように風船ライト１０が構成されている。
【００２５】
該発明の別の側面において、上部ハウジング１１及び／又は下部ハウジング１２は、光源２１として用いられる紫外線（ＵＶ）発光ダイオードによって発せられたＵＶ光のような紫外線光、すなわちブラックライトに応じて蛍光を発する蛍光材料から形成され、ないしは含んでいても良い。別の実施形態においては、風船ライト１０に取り付けられた風船３０が、ＵＶ光に応じて蛍光を発する蛍光材料から形成され、ないしは含んでいても良い。
【００２６】
図４に表された別の典型的な実施形態において、スイッチ２０は、たとえば、集積回路２７と連動して光源２１のフラッシュ率、色、又は輝度といった光源２１の動作モードを設定するためのモードスイッチ７４を含んでいても良い。該モードスイッチは、モードスイッチ７４と接触する第１エンド７６と、上部ハウジング１１から、ユーザが第２エンド７８でモード起動部材７５を動かすことによりハウジング１１の外から該スイッチを起動することを可能にする外側に伸びる第２エンド７８と、を有するモード起動部材７５によって操作することができる。
【００２７】
図面及び明細書において、そこでは本発明の典型的で好適な実施形態が開示され、そして特殊な用語が使用されたものの、当該用語は限定目的のためでなく記述的な意味においてのみ用いられている。当該発明は、これらの図示された実施形態に具体的に言及しつつ相当詳細に記載された。先の明細書に記載され、添付された特許請求の範囲において定義された本発明の趣旨及び範囲内において多様な変形及び変更が可能であることは、しかしながら、明らかであろう。
【図面の簡単な説明】
【００２８】
【図１】図１は、本発明の好ましい実施形態による風船ライトを示す断面図である。
【図２】図２は、図１に示された風船ライトの側面図である。
【図３】図３は、図１の風船ライトのハウジングに関する断面図である。
【図４】図４は、本発明の追加的実施形態についての断面図である。
【図５】図５は、ラテックス風船のネックに取り付けた図１の風船ライトを示す。
【図６】図６は、明かりの点けられていないモードに構成された本発明の典型的実施形態についての断面図である。
【図７】図７は、明かりの点けられたモードに構成された本発明の典型的実施形態についての断面図である。
【図８】図８は、本発明の別の典型的実施形態に係る断面図である。
【図９】図９は、本発明の別の典型的実施形態に係る断面図である。
【図１０】図１０は、本発明の別の典型的実施形態に係る断面図である。
【符号の説明】
【００２９】
９  ハウジング
１０  風船ライト
１９  フローパス
２０  スイッチ
２１  光源
２３  電源
２５  フロー制御システム
４６  スイッチ起動部材
【図１】
2008501423.tif 000003
【図２】
2008501423.tif 000004
【図３】
2008501423.tif 000005
【図４】
2008501423.tif 000006
【図５】
2008501423.tif 000007
【図６】
2008501423.tif 000008
【図７】
2008501423.tif 000009
【図８】
2008501423.tif 000010
【図９】
2008501423.tif 000011
【図１０】
2008501423.tif 000012